(57)【要約】【課題】ユーザの趣向をより反映させた状態でコンテンツデータの取り込みを簡易に行なうことのできる「コンテンツデータ記憶制御装置及びコンテンツデータ再生装置」を提供する。【解決手段】ＰＣ１０内の比率取得部１４は、ＨＤＤ１２内の音楽データの所定の属性に基づいた分類比率を算出し、コンテンツ選択部１６は、車載用オーディオ装置２０のＨＤＤ２４に記憶される音楽データがその分類比率となるように、ＨＤＤ１２内の音楽データを選択して、車載用オーディオ装置２０へ出力する。車載用オーディオ装置２０のコンテンツ取得部２２は、ＰＣ１０からの音楽データをＨＤＤ２４に記憶する。【選択図】図１
2007193540.tif 000002
【特許請求の範囲】
【請求項１】
第１の記憶手段に予め記憶された複数のコンテンツデータの一部を第２の記憶手段に記憶させるコンテンツデータ記憶制御装置であって、
前記第１の記憶手段に記憶された複数のコンテンツデータの所定の属性に基づいた分類比率を取得する分類比率取得手段と、
前記分類比率取得手段により取得された分類比率に基づいて、前記第１の記憶手段に記憶された複数のコンテンツデータの中から前記第２の記憶手段に記憶させるべきコンテンツデータを選択する選択手段とを有することを特徴とするコンテンツデータ記憶制御装置。
【請求項２】
前記選択手段は、前記第１の記憶手段に記憶された複数のコンテンツデータの総容量が前記第２の記憶手段の記憶容量を超える場合に、前記第２の記憶手段に記憶させるべきコンテンツデータを、前記第２の記憶手段の記憶容量以内となるように選択することを特徴とする請求項１に記載のコンテンツデータ記憶制御装置。
【請求項３】
前記コンテンツデータは、音楽データであり、前記所定の属性は、ジャンル、アーティスト名、発表された年代のいずれかであることを特徴とする請求項１又は２に記載のコンテンツデータ記憶制御装置。
【請求項４】
前記分類比率は、データ量の比率で表されることを特徴とする請求項１乃至３のいずれかに記載のコンテンツデータ記憶制御装置。
【請求項５】
前記分類比率は、コンテンツデータの数の比率で表されることを特徴とする請求項１乃至３のいずれかに記載のコンテンツデータ記憶制御装置。
【請求項６】
請求項１乃至４のいずれかに記載のコンテンツデータ記憶制御装置によりコンテンツデータが書き込まれる前記第２の記憶手段と、
前記第２の記憶手段に記憶されたコンテンツデータを再生する再生手段とを有することを特徴とするコンテンツ再生装置。
【発明の詳細な説明】
【技術分野】
【０００１】
本発明は、記憶手段に記憶された複数のコンテンツデータの一部を他の記憶手段に記憶させるコンテンツデータ記憶制御装置、及び、他の記憶手段に記憶されたコンテンツデータを再生するコンテンツデータ再生装置に関する。
【背景技術】
【０００２】
従来、音楽データをＣＤ（Compact Disc）からパーソナルコンピュータ（ＰＣ）へ音楽ファイルとして取り込み（リッピング）、更に、その音楽ファイルをＰＣから車載用のオーディオ装置や携帯型のオーディオ装置（以下、「車載用オーディオ装置等」と称する）へ取り込んで（シンク）、ユーザが車内や外出先で音楽を聴くことが行われている。
【０００３】
ところで、一般に車載用オーディオ装置等における記憶装置であるＨＤＤ（Hard Disk Drive）の記憶容量は、ＰＣにおけるＨＤＤの記憶容量よりも小さい。このため、ＰＣのＨＤＤに記憶された全ての音楽データ（音楽ファイル）を車載用オーディオ装置等のＨＤＤに取り込むことができない場合がある。このような場合、ＰＣのＨＤＤに記憶された音楽データの一部しか車載用オーディオ装置等のＨＤＤに取り込むことができないため、ユーザは、ＰＣのＨＤＤに記憶された音楽データの中から車載用オーディオ装置等のＨＤＤに取り込むべき音楽データを、プレイリスト単位や曲単位で選択することになる。このようにユーザが車載用オーディオ装置等のＨＤＤに取り込むべき音楽データをプレイリスト単位や曲単位で選択する手法では、ＰＣのＨＤＤに記憶された音楽データの中からユーザの趣向の特に合った音楽データを車載用オーディオ装置等のＨＤＤに取り込むことができるものの、ユーザはプレイリストの編集やコンテンツを１つずつ選択する操作が必要となり、その操作が煩雑なものとなってしまう。
【０００４】
また、ＣＤ等から記憶媒体（ＭＤ等）に記録された複数の音楽データから再生すべき音楽データを特定のジャンルやアーティストの音楽が連続しないように無作為に選択する手法が提案されているが（例えば、特許文献１）、そのような手法を流用して、ＰＣのＨＤＤに記憶された複数の音楽データ（音楽ファイル）の中から車載用オーディオ装置等のＨＤＤに取り込むべき音楽データを無作為に選択することも考えられる。このような手法を用いれば、ユーザが煩雑な操作を行なわなくても、車載用のオーディオ装置等のＨＤＤに音楽データを取り込むことができるようになる。
【特許文献１】特開２００２−１５０７５２号公報
【発明の開示】
【発明が解決しようとする課題】
【０００５】
ところで、ユーザは、通常、自分の好みに合った音楽（曲）についての音楽データをＣＤからＰＣのＨＤＤに取り込んでいる。従って、そのようにＰＣのＨＤＤに取り込まれた音楽データから無作為に選択された音楽データも一応ユーザの好みに合った音楽についてのものとなる。しかしながら、前述したようにＰＣのＨＤＤに記憶された音楽データから同一のジャンルやアーティスト（音楽の属性）の音楽が連続しないように無作為に選択した音楽データを車載用オーディオ装置のＨＤＤに取り込むようにした従来の手法では、ＰＣのＨＤＤに記憶された音楽データからユーザの趣向をより反映させた音楽についての音楽データの取り込みが必ずしもなされるものではなかった。
本発明の目的は、上述した問題を解決するものであり、ユーザの趣向をより反映させた状態でコンテンツデータの取り込みを簡易に行なうことのできるコンテンツデータ記憶制御装置、及び、取り込まれたコンテンツデータを再生するコンテンツデータ再生装置を提供するものである。
【課題を解決するための手段】
【０００６】
本発明に係るコンテンツデータ記憶制御装置は、第１の記憶手段に予め記憶された複数のコンテンツデータの一部を第２の記憶手段に記憶させるコンテンツデータ記憶制御装置であって、前記第１の記憶手段に記憶された複数のコンテンツデータの所定の属性に基づいた分類比率を取得する分類比率取得手段と、前記分類比率取得手段により取得された分類比率に基づいて、前記第１の記憶手段に記憶された複数のコンテンツデータの中から前記第２の記憶手段に記憶させるべきコンテンツデータを選択する選択手段とを有する構成となる。
【０００７】
このような構成により、第１の記憶手段に予め記憶された複数のコンテンツデータの所定の属性に基づいた分類比率に基づいて、前記複数のコンテンツデータから第１の記憶手段に記憶させるべきコンテンツデータが選択されるようになるので、第１の記憶手段に予め記憶された複数のコンテンツデータの所定の属性に基づいた分類比率を反映させたその所定の属性に基づいた分類比率にて第２の記憶手段にコンテンツデータを記憶させることができるようになる。
【０００８】
また、本発明に係るコンテンツデータ記憶制御装置において、前記選択手段は、前記第１の記憶手段に記憶された複数のコンテンツデータの総容量が前記第２の記憶手段の記憶容量を超える場合に、前記第２の記憶手段に記憶させるべきコンテンツデータを、前記第２の記憶手段の記憶容量以内となるように選択する構成とすることができる。
【０００９】
このような構成により、第１の記憶手段に記憶された複数のコンテンツデータの総容量が第２の記憶手段の記憶容量を超える場合には、その第２の記憶手段の記憶容量を考慮しつつ、前記第１の記憶手段に予め記憶された複数のコンテンツデータの所定の属性に基づいた分類比率を反映させたその分類比率にてコンテンツデータを第２の記憶手段に記憶させることができるようになる。
【００１０】
また、本発明に係るコンテンツデータ記憶制御装置において、前記コンテンツデータは、音楽データであり、前記所定の属性は、ジャンル、アーティスト名、発表された年代のいずれかであるように構成することができる。
【００１１】
このような構成により、第１の記憶手段に予め記憶された複数の音楽データのジャンル、アーティスト名、発表された年代のいずれかに基づいた分類比率を反映させたその分類比率にて第２の記憶手段に音楽データを記憶させることができるようになる。
【００１２】
更に、本発明に係るコンテンツデータ記憶制御装置において、前記分類比率は、データ量の比率で表されるものであっても、コンテンツデータの数の比率で表されるものであってもよい。
【００１３】
また、本発明のコンテンツ再生装置は、上述したいずれかのコンテンツデータ記憶制御装置によりコンテンツデータが書き込まれた前記第２の記憶手段と、前記第２の記憶手段に記憶されたコンテンツデータを再生する再生手段とを有する構成となる。
【発明の効果】
【００１４】
本発明に係るコンテンツデータ記憶制御装置によれば、第１の記憶手段に予め記憶された複数のコンテンツデータの所定の属性に基づいた分類比率を反映させたその所定の属性に基づいた分類比率にて第２の記憶手段にコンテンツデータを記憶させることができるようになるので、第１の記憶手段に予め記憶された複数のコンテンツデータの前記所定の属性に基づいた分類比率がユーザの趣向を表し得るものであるとすれば、コンテンツデータの選択操作等の特別な操作がなされなくても、第２の記憶手段にユーザの趣向をより反映させた状態でコンテンツデータを取り込むことができるようになる。
【発明を実施するための最良の形態】
【００１５】
以下、本発明の実施の形態について、図面を参照して具体的に説明する。
【００１６】
図１は、本発明の実施の形態にかかるコンテンツデータ記憶制御装置としてのＰＣと、コンテンツ再生装置としての車載用オーディオ装置のブロック図である。図１において、ＰＣ１０と車載用オーディオ装置２０とは接続されており、ＰＣ１０から車載用オーディ装置２０へコンテンツデータである音楽データを送ることができるようになっている。
【００１７】
ＰＣ１０は、ＣＤ５０から読み出した（リッピングした）コンテンツデータである音楽データを記憶するＨＤＤ１２（第１の記憶手段）と、当該ＨＤＤ１２に記憶された音楽データの所定の属性に基づいた分類比率を算出する比率取得部１４と、車載用オーディオ装置２０が取り込むべき音楽データを選択するコンテンツ選択部１６と、ユーザの操作指示を受け付ける操作部１８とを有している。また、ＰＣ１０は、インターネット等の通信ネットワークを介してＣＤＤＢ（Compact Disc Data Base）サーバと通信可能な状態となっている。
【００１８】
一方、車載用オーディオ装置２０は、ＰＣ１０からの音楽データを取得するコンテンツ取得部２２と、その取得した音楽データを記憶するＨＤＤ２４（第２の記憶手段）と、音楽データの再生処理を行うコンテンツ再生部２６と、ユーザの操作指示を受け付ける操作部２８とを有している。
【００１９】
以下、フローチャートを参照しつつ、ＰＣ１０と車載用オーディオ装置２０の動作を説明する。図２は、ＰＣ１０の第１の動作（リッピングの際の動作）を示すフローチャートである。ＰＣ１０内の比率取得部１４は、ＣＤ５０からの音楽データがＨＤＤ１２に所定形式の音楽ファイルとして取り込まれたか（リッピング）否かを判定する（Ｓ１０１）。音楽データ（音楽ファイル）には、当該音楽データを一意に識別可能なＩＤが含まれている。ＣＤ５０からＨＤＤ１２への音楽データの取り込みが終了すると（Ｓ１０１でＹＥＳ）、比率取得部１４は、そのＨＤＤ１２に記憶された各音楽データ（音楽ファイル）のＩＤを読み出し（Ｓ１０２）、そのＩＤで特定される音楽データの属性（ジャンル、アーティスト名、発表された年代等）を一括して取得する。
【００２０】
具体的には、比率取得部１４は、インターネット等の通信ネットワークを介してＣＤＤＢサーバにアクセスする（Ｓ１０３）。このＣＤＤＢサーバには、音楽データのＩＤに対応付けられた属性データが登録されており、比率取得部１４は、各音楽データ（音楽ファイル）のＩＤをキーとして、ＣＤＤＢサーバに登録された情報を検索することによって、各音楽データに対応する属性データを取得し、その属性データをＨＤＤ１２に当該音楽データ（ＩＤ）に対応させて保存する（Ｓ１０４）。Ｓ１０１乃至Ｓ１０４の処理がＨＤＤ１２に取り込まれた全ての音楽データ（音楽ファイル）について行われる（Ｓ１０５）。
【００２１】
図３は、ＰＣ１０の第２の動作（シンクの際の動作）を示すフローチャートである。この第２の動作は、上述した第１の動作の後に行われる。比率取得部１４は、ユーザによって操作部１８に対する所定の操作がなされ、属性が指定されたか否かを判定する（Ｓ１１１）。属性が指定された場合（Ｓ１１１でＹＥＳ）、比率取得部１４は、ＨＤＤ１２に記憶された複数の音楽データの前記指定された属性に基づいた分類比率を算出する（Ｓ１１２）。例えば、ユーザによって属性「ジャンル」が指定された場合、比率取得部１４は、ＨＤＤ１２に記憶された複数の音楽データをジャンルに基づいて分類し、そのジャンルに基づいた音楽データの分類比率を算出する。この分類比率は、データ量の比率、あるいは、音楽データの数（曲数）の比率にて表すことができる。
【００２２】
なお、比率取得部１４がデータ量の比率を算出するか、曲数の比率を算出するかについては、予め定められた方を算出してもよいし、ユーザによる操作部１８に対する所定の操作によって指定された方を算出してもよい。
【００２３】
一方、Ｓ１１１において属性が指定されなかったと判定した場合には、比率取得部１４は、ＨＤＤ１２に記憶された複数の音楽データを初期設定（デフォルト）された属性に基づいて分類し、その属性に基づいた音楽データの分類比率を算出する（Ｓ１１３）。比率算出部１４は、Ｓ１１２又はＳ１１３において音楽データの前記属性に基づいた分類比率を算出した後、その分類比率、及び、分類比率がどの属性に基づいたものであるかを示す情報を含む比率属性情報を前記複数の音楽データに対応付けてＨＤＤ１２に格納する。
【００２４】
コンテンツ選択部１６は、ＨＤＤ１２に記憶された比率属性情報と属性データとを取得する（Ｓ１１４）。次に、コンテンツ選択部１６は、車載用オーディオ装置２０内のＨＤＤ２４に記憶すべき音楽データを選択する（Ｓ１１５）。具体的には、コンテンツ選択部１６は、取得した比率属性情報により、ＨＤＤ１２内の音楽データのそれぞれについて、所定の属性の分類比率を認識する。更に、コンテンツ選択部１６は、取得した属性データにより、ＨＤＤ１２内の音楽データのそれぞれについての属性を認識する。そして、コンテンツ選択部１６は、車載用オーディオ装置２０内のＨＤＤ２４に記憶される音楽データの所定の属性の分類比率が、比率属性情報によって示される分類比率にできるだけ一致するように、当該ＨＤＤ２４に記憶すべき音楽データを選択して、ＨＤＤ１２から読み出す。ここで、コンテンツ選択部１６は、予めＨＤＤ２４の容量を認識しており、ＨＤＤ１２から読み出した音楽データのデータ量がＨＤＤ２４の記憶容量を超える場合には、ＨＤＤ２４に収まるように、当該ＨＤＤ２４に記憶すべき音楽データを選択する。
【００２５】
図４は、ＰＣ１０のＨＤＤ１２に記憶されている音楽データと、車載用オーディオ装置２０のＨＤＤ２４に記憶される音楽データとの対応関係の一例を示す図である。図４（ａ）は、ＰＣ１０のＨＤＤ１２に記憶されている音楽データのジャンルの分類比率に基づいて、コンテンツ選択部１６が車載用オーディオ装置２０のＨＤＤ２４に記憶される音楽データを選択する場合の例である。ここでは、ＰＣ１０のＨＤＤ１２に記憶されている音楽データの総データ量は７０ＧＢであり、ジャンル毎のデータ量の分類比率が、「Ｊ−ＰＯＰ」の音楽データが５０％（３５ＧＢ）、「ジャズ」の音楽データが２５％（１７．５ＧＢ）、「ロック」の音楽データが１０％（７ＧＢ）、「クラシック」の音楽データが１０％（７ＧＢ）、「ヒップホップ」の音楽データが５％（３．５ＧＢ）となっている。
【００２６】
一方、車載用オーディオ装置２０のＨＤＤ２４は、記憶容量が３０ＧＢであるため、ＰＣ１０のＨＤＤ１２に記憶されている音楽データの全てを記憶することができない。このため、コンテンツ選択部１６は、車載用オーディオ装置２０のＨＤＤ２４に記憶されるべき音楽データについて、そのＨＤＤ２４の記憶容量の３０ＧＢに収まり、且つ、ジャンル毎のデータ量の分類比率が、「Ｊ−ＰＯＰ」が５０％（１５ＧＢ）、「ジャズ」が２５％（７．５ＧＢ）、「ロック」が１０％（３ＧＢ）、「クラシック」が１０％（３ＧＢ）、「ヒップホップ」が５％（１．５ＧＢ）にできるだけ近似するように、ＰＣ１０のＨＤＤ１２に記憶されている音楽データの中から選択を行う。
【００２７】
例えば、図４（ａ）では、ＰＣ１０のＨＤＤ１２に記憶されているジャンル「Ｊ−ＰＯＰ」の３５ＧＢの音楽データから車載用オーディオ装置２０のＨＤＤ２４に記憶されるべき１５ＧＢの音楽データを選択する場合、コンテンツ選択部１６は、ＰＣ１０のＨＤＤ１２から読み出したジャンル「Ｊ−ＰＯＰ」の３５ＧＢの音楽データを、ランダムに１つずつ選択する。そして、選択した音楽データのデータ量が１５ＧＢを超えた場合には、コンテンツ選択部１６は、１５ＧＢを超える直前までに選択した音楽データを、車載用オーディオ装置２０のＨＤＤ２４に記憶されるべき音楽データとする。あるいは、コンテンツ選択部１６は、ＰＣ１０のＨＤＤ１２から読み出したジャンル「Ｊ−ＰＯＰ」の３５ＧＢの音楽データのうち、１５ＧＢ以下であって且つ１５ＧＢに最も近い組み合わせとなる音楽データを、車載用オーディオ装置２０のＨＤＤ２４に記憶されるべき音楽データとする。
【００２８】
また、図４（ｂ）は、ＰＣ１０のＨＤＤ１２に記憶されている音楽データのアーティスト名（歌手名）の分類比率に基づいて、コンテンツ選択部１６が車載用オーディオ装置２０のＨＤＤ２４に記憶される音楽データを選択する場合の例である。ここでは、ＰＣ１０のＨＤＤ１２に記憶されている音楽データの総データ量は１５ＧＢ、音楽データの数（曲数）が１００曲であり、歌手毎の曲数の比率が、「歌手Ａ」の音楽データが３５％（３５曲）、「歌手Ｂ」の音楽データが２５％（２５曲）、「歌手Ｃ」の音楽データが２０％（２０曲）、「歌手Ｄ」の音楽データが１０％（１０曲）、「歌手Ｅ」の音楽データが５％（５曲）、「歌手Ｆ」の音楽データが５％（５曲）となっている。
【００２９】
一方、車載用オーディオ装置２０のＨＤＤ２４は、記憶容量が３ＧＢであるため、ＰＣ１０のＨＤＤ１２に記憶されている音楽データの全てを記憶することができない。このため、コンテンツ選択部１６は、車載用オーディオ装置２０のＨＤＤ２４に記憶されるべき音楽データについて、そのＨＤＤ２４の記憶容量の３ＧＢに収まり、且つ、歌手毎の曲数の分類比率が、「歌手Ａ」が３５％、「歌手Ｂ」が２５％、「歌手Ｃ」が２０％、「歌手Ｄ」が１０％、「歌手Ｅ」が５％、「歌手Ｆ」が５％にできるだけ近似するように、ＰＣ１０のＨＤＤ１２に記憶されている音楽データの中から選択を行う。
【００３０】
例えば、図４（ｂ）では、ＰＣ１０のＨＤＤ１２に記憶されている音楽データが１００曲分でデータ量が１５ＧＢであるのに対して、車載用オーディオ装置２０のＨＤＤ２４の記憶容量が１／５の３ＧＢであるため、コンテンツ選択部１６は、車載用オーディオ装置２０のＨＤＤ２４に記憶させるべき音楽データを１／５の２０曲分とする。そして、コンテンツ選択部１６は、その２０曲分の音楽データについて、ＰＣ１０のＨＤＤ１２に記憶されている音楽データの歌手毎の分類比率に応じて、「歌手Ａ」の音楽データを７曲（３５％）、「歌手Ｂ」の音楽データを５曲（２５％）、「歌手Ｃ」の音楽データを４曲（２０％）、「歌手Ｄ」の音楽データを２曲（１０％）、「歌手Ｅ」の音楽データを２曲（１０％）、「歌手Ｆ」の音楽データを１曲（５％）となるように選択する。但し、選択した２０曲分の音楽データのデータ量が車載用オーディオ装置２０のＨＤＤ２４の記憶容量である３ＧＢを超える場合には、コンテンツ選択部１６は、無作為に音楽データを除外して、あるいは、分類比率の最も高い歌手の音楽データから順に除外して、３ＧＢに収まるようにする。
【００３１】
このようにして、車載用オーディオ装置２０内のＨＤＤ２４に記憶すべき音楽データを選択した後、コンテンツ選択部１６は、選択した各音楽データをＨＤＤ１２から読み出し、車載用オーディオ装置２０へ出力する（Ｓ１１６）。
【００３２】
図５は、車載用オーディオ装置２０の動作を示すフローチャートである。コンテンツ取得部２２は、ＰＣ１０からの音楽データを取得すると（Ｓ２０１）、当該音楽データをＨＤＤ２４に書き込む（Ｓ２０２）。その後、コンテンツ再生部２６は、ユーザによって操作部２８に対する所定の操作がなされ、音楽データの再生が指示されたか否かを判定する（Ｓ２０３）。音楽データの再生が指示された場合、コンテンツ再生部２６は、ＨＤＤ２４から音楽データを読み出し、再生処理を行う（Ｓ２０４）。
【００３３】
このように、本実施形態では、ＰＣ１０のＨＤＤ１２に記憶された音楽データを車載用オーディオ装置２０のＨＤＤ２４に記憶させる際に、ＰＣ１０内の比率取得部１４がＨＤＤ１２内の音楽データのジャンルやアーティスト名等の所定の属性に基づいた分類比率を算出し、コンテンツ選択部１６がＨＤＤ２４に記憶される音楽データがその分類比率となり、且つ、当該ＨＤＤ２４に収まるように、ＨＤＤ１２内の音楽データを選択して、車載用オーディオ装置２０へ出力する。すなわち、ＰＣ１０のＨＤＤ１２に記憶された音楽データの所定の属性に基づいた分類比率をユーザの趣向を表し得るものであるとすれば、音楽データの選択操作等の特別な操作がなされなくても、車載用オーディオ装置２０のＨＤＤ２４に、ユーザの趣向をより反映させた状態で音楽データを取り込むことができるようになる。
【００３４】
なお、上述した実施形態では、ＰＣ１０のＨＤＤ１２に記憶されている音楽データのデータ量が車載用オーディオ装置２０のＨＤＤ２４の記憶容量より大きい場合について説明したが、ＰＣ１０のＨＤＤ１２に記憶されている音楽データのデータ量が車載用オーディオ装置２０のＨＤＤ２４の記憶容量より小さい場合についても、本発明を適用することができる。この場合には、ＰＣ１０のＨＤＤ１２に記憶されている音楽データを全てではなく一部を趣向に応じて車載用オーディオ装置２０のＨＤＤ２４に記憶させたいといったユーザの要求に応じた音楽データの取り込みが可能となる。
【００３５】
また、上述した実施形態では、ＰＣ１０のＨＤＤ１２に記憶された音楽データのジャンルとアーティスト名の属性の分類比率が取得される場合について説明したが、発表された年代等の他の属性に基づいた分類比率が取得される場合についても、同様に本発明を適用することができる。
【００３６】
また、上述した実施形態では、音楽データの取り込み先が車載用オーディオ装置２０である場合について説明したが、音楽データの取り込み先が携帯型のオーディオ装置等の他のコンテンツ再生装置や、コンテンツ再生装置に外付けされるメモリ等の外部記憶装置である場合においても、同様に本発明を適用することができる。
【産業上の利用可能性】
【００３７】
以上、説明したように、本発明に係るコンテンツデータ記憶制御装置は、ユーザの趣向をより反映させた状態でコンテンツデータの取り込みを簡易に行なうことが可能であり、コンテンツデータ記憶制御装置として有用である。
【図面の簡単な説明】
【００３８】
【図１】ＰＣ及び車載用オーディオ装置の構成を示す図である。
【図２】ＰＣの第１の動作を示すフローチャートである。
【図３】ＰＣの第２の動作を示すフローチャートである。
【図４】ＰＣのＨＤＤに記憶されている音楽データと、車載用オーディオ装置のＨＤＤに記憶される音楽データとの対応関係の一例を示す図である。
【図５】車載用オーディオ装置の動作を示すフローチャートである。
【符号の説明】
【００３９】
１０  ＰＣ
１２、２４  ＨＤＤ
１４  比率取得部
１６  コンテンツ選択部
１８、２８  操作部
２０  車載用オーディオ装置
２２  コンテンツ取得部
２６  コンテンツ再生部
５０  ＣＤ
【図１】
2007193540.tif 000003
【図２】
2007193540.tif 000004
【図３】
2007193540.tif 000005
【図４】
2007193540.tif 000006
【図５】
2007193540.tif 000007